(57)【要約】      （修正有）【課題】入れ替え可能で位置決め可能なプラグを有する電源アダプタを提供する。【解決手段】電源アダプタは、本体１０とプラグＡとを有する。本体１０は２つの通電ターミナルと、本体の上部に取付けられた接地端子とを有する。プラグＡは、その底部を通じて取付けられる接地孔および複数の弧状の孔と、プラグＡに取付けられ、接地孔および弧状の孔にそれぞれ対応する中間の接地アセンブリおよび２つの中間の導通クリップアセンブリと、それぞれ電気的に中間の接地アセンブリおよび中間の導通クリップアセンブリと連結されるその上部に取付けられる接地ピンおよび２つの通電ピンと、を有する。プラグが本体と共に組立てられる場合、接地端子と通電ターミナルとは、それぞれ接地孔に、および、選択的に対応している弧状の孔に挿入される接地ピンおよび通電ピンと電気的に連結される。構造については、プラグは入れ替え可能で位置決め可能である。【選択図】図１
2012119188.tif 000002
【特許請求の範囲】
【請求項１】
上部と；底部と；本体の該上部において円形に形成され、底部と側壁とを有する第１の窪みと；該第１の窪みの該底部に取付けられ、電気を伝導する接地端子と；該第１の窪みの該底部に取付けられ、電気を伝導する２つの通電ターミナルと；を有する本体と：中空であって：上部と；底部と；プラグの該底部で形成され、そこから突出し、該第１の窪みで受容され、底部と円柱形の表面とを有するシリンダと；該シリンダによって形成され、該本体の該接地端子によって中に挿入される接地孔と；該シリンダの該底部を通じて形成され、該接地孔に関して円形に配置された複数の弧状の孔であって、そこで該弧状の孔の２つが選択的に該通電ターミナルによって中に挿入される複数の弧状の孔と；該プラグの内部に取付けられ、該本体の該通電ターミナルとそれぞれ電気的に連結される２つの中間の導通クリップアセンブリと；該プラグの該上部を通じて形成される２つの通電ピンであって、そこで該通電ピンのそれぞれの一端は、該中間の導通クリップアセンブリの１つを電気的に連結するため該プラグに取付けられる２つの通電ピンと；を有するプラグと：を含む、入れ替え可能で位置決め可能なプラグを有する電源アダプタ。
【請求項２】
前記本体が、前記第１の窪みの前記側壁において形成される複数の摺動可能な溝をさらに有し、該摺動可能な溝のそれぞれは、該摺動可能な溝の一端において形成される係合凹所を有し；前記プラグの前記シリンダが、前記シリンダの前記円柱形の表面に形成され、そこから突出する複数の係合ピースをさらに有し、該係合ピースのそれぞれは、該摺動可能な溝の１つと対応している係合凹所とに選択的に取付けられる、請求項１記載の電源アダプタ。
【請求項３】
前記プラグは：該プラグに取付けられ、電気を伝導する中間の接地アセンブリと；該プラグの上部を通じて取付けられ、電気を伝導する接地ピンであって、該接地ピンの一端が該中間の接地アセンブリと電気的に連結するため、該プラグに取付けられる接地ピンと；をさらに有する、請求項２記載の電源アダプタ。
【請求項４】
前記プラグは：上部と；ベースの上部の周囲に環状に形成され、そこから突出するフェンスと；該ベースの該上部において形成され、前記シリンダに凹部を作られ、底部および側壁と、前記接地孔および前記弧状の孔とを有する第２の窪みであって、そこで、該接地孔は該第２の窪みの該底部を通じて形成され、前記中間の導通クリップアセンブリは該第２の窪みの該底部に取付けられ、該中間の導通クリップアセンブリのそれぞれが、弧のように形成されて、電気を伝導する外側の導通プレートと内側の導通プレートとを有し、該外側の導通プレートのそれぞれと、該内側の導通プレートのそれぞれとは、２つの対応している弧状の孔のそれぞれ外側と内側とに該第２の窪みの該底部に取り付けられる第２の窪みと；を有するベースと：該ベースに取付けられ、カバーを通じて形成される２つの通電ピンを有するカバーであって、そこで、該第２の窪みに面している該通電ピンのそれぞれの一端が、該通電ピンの端部に形成される連結部品を有するカバーと：を有する、請求項２記載の電源アダプタ。
【請求項５】
前記第２の窪みが、前記ベースの前記第２の窪みに取付けられ、電気を伝導する中間の接地アセンブリをさらに有し；前記カバーが、該カバーを通じて取付けられ、電気を伝導し、該ベースの該第２の窪みに面している接地ピンの一端の上に形成される連結部品を有する接地ピンをさらに有する、請求項４記載の電源アダプタ。
【請求項６】
前記第２の窪みは：２つの対として集められた４つの弧状の孔であって、そこで、該弧状の孔の各々の対は、第１の弧状の孔と第２の弧状の孔とを有し、該弧状の孔の一方の対の該第１の弧状の孔と、該弧状の孔の他方の対の該第２の弧状の孔とは反対に位置し、それぞれ選択的に前記通電ターミナルによって中に挿入される４つの弧状の孔と；Ｅ形の４つの配置ピースであって、そこで、該配置ピースのそれぞれが対応している弧状の孔の一端と隣接し、該配置ピースの片側において形成される内側のスロットと外側のスロットとを有し、該弧状の孔の各々の対が２つの対応している該配置ピース間に位置し、その側部が互いに面する該内側のスロットと該外側のスロットとを有する４つの配置ピースと；２つのプレート・ガイドであって、そこで、該プレート・ガイドのそれぞれが、該第２の窪みの該底部に、および、２つの対応している該配置ピース間に取付けられ、その側部が互いに面する該内側のスロットと該外側のスロットとを有し、２つの平行壁を有する２つのプレート・ガイドと；該第２の窪みの該底部の上に形成され、前記接地孔に隣接した２つのストッパと；をさらに有し、前記中間の導通しているクリップアセンブリのそれぞれが、２つの対応している該配置ピース間に取付けられ、その側部が互いに面する該内側のスロットと該外側のスロットとを有し、外側の導通プレートと内側の導通プレートとを有し、該外側の導通プレートと該内側の導通プレートとの形状は、該第２の窪みの側壁のそれに対応し、該外側の導通プレートは、該内側の導通プレートよりも該第２の窪みの該側壁に近く、該外側の導通プレートは、該弧状の孔の外縁部と２つの対応している該配置ピース間で整列配置し、該内側の導通プレートは、該弧状の孔の内縁部と２つの対応している該配置ピースの間で整列配置し、該内側の導通プレートが、２つの対応している該配置ピースの該内側のスロットにおいて保持され、その側部が互いに面する該内側のスロットと該外側のスロットとを有し、対応しているプレート・ガイドに取付けられ、該外側の導通プレートが、該配置ピースの該外側のスロットにおいて保持され、対応しているプレート・ガイドに当接し、該内側の導通プレートのそれぞれはその上に形成される出張りを有する、請求項５記載の電源アダプタ。
【請求項７】
前記中間の接地アセンブリが、Ｕ型であり、電気を伝導し、２つの対向する導通プレートを有し、前記第２の窪みの前記底部より上に位置する接地端子ホルダーを有し；前記通電ピンのそれぞれは、翼のように形成され、該第２の窪みへ該通電ピンの端部の上に形成される有効な連結部品を有し、該有効な連結部品は、それを通して形成される連結孔を有し、該有効な連結部品と前記出張りとの該連結孔を通過するワイヤで前記内側の導通プレート上において電気的にそれぞれ前記出張りと連結し；前記接地ピンはロッド形であり、該第２の窪みへ該接地ピンの端部の上に形成される接地接続部品を有し、該接地接続部品はそれを通して形成される連結孔を有し、該中間の接地アセンブリの該接地端子ホルダーと電気的に連結する、請求項６記載の電源アダプタ。
【請求項８】
前記本体が、該本体の上に位置する２つのスリットを切断し、前記第１の窪み内部で自由端を形成するように該第１の窪みの底部に届くように該スリットを延長することにより形成されたリリースつまみをさらに有し、該リリースつまみが、該第１の窪みの該底部および前記側壁で形成され、そこから突出する係合ブロックを有し；前記シリンダが、該シリンダの底部で形成された複数の係合スロットをさらに有し、前記係合スロットのそれぞれが、２つの隣接した前記係合ピース間で形成され、該リリースつまみの該自由端上の該係合ブロックと選択的に整列配置し、係合する、請求項１から７のいずれか一項に記載の電源アダプタ。
【発明の詳細な説明】
【技術分野】
【０００１】
本発明は、電源アダプタに関連し、特に入れ替え可能で位置決め可能なプラグを有する電源アダプタに関連するものである。
【背景技術】
【０００２】
人々は、現代生活において電化製品なしで生きることができない。電化製品と、電化製品のための充電器との両方は、それを作動させる動力を得るために電源出力に接続された動力プラグを備える必要がある。壁に据えられた電源出力の他に、動力プラグは、延長電気コードのコンセントにつなぐことができる。電化製品および充電器の動力プラグが通常プラグの回路または変圧器を有するので、動力プラグのサイズは、比較的大きくなる傾向がある。したがって、電源出力に接続される場合、動力プラグは、容易に他の電源出力のコンセントを遮断し、他のプラグの接続を妨げ、使用されるコンセントの数を限定してしまう。
【発明の概要】
【課題を解決するための手段】
【０００３】
本発明の目的は、入れ替え可能で位置決め可能なプラグを有する電源アダプタを提供することである。
【０００４】
前述の目的を達成するため、入れ替え可能で位置決め可能なプラグを有する電源アダプタは、本体とプラグとを有する。
【０００５】
本体は、上部と、底部と、第１の窪みと、接地端子と、２つの通電ターミナルとを有する。第１の窪みは、本体の上部において円形に形成され、底部と側壁とを有する。接地端子は、第１の窪みの底部に取付けられ、電気を伝導する。通電ターミナルは、第１の窪みの底部に取付けられ、電気を伝導する。
【０００６】
プラグは中空であり、上部と、底部と、シリンダと、接地孔と、複数の弧状の孔と、２つの中間の通電クリップアセンブリと、２つの通電ピンとを有する。シリンダはプラグの底部に形成され、そこから突出して、第１の窪みで受容され、底部と円柱形の表面とを有する。接地孔はシリンダを通じて中央に形成され、本体の接地端子によって中に挿入される。弧状の孔は、シリンダの底部を通じて形成され、接地孔に関して円形に配置される。弧状の孔の２つは、通電ターミナルによって選択的に中に挿入される。中間の通電クリップアセンブリはプラグ内部で取付けられ、それぞれ電気的に本体の通電ターミナルに連結される。通電ピンは、本体の上部を通じて形成される。通電ピンのそれぞれの一端は、中間の通電クリップアセンブリの１つと電気的に連結するためにプラグに取付けられる。
【０００７】
プラグが本体で組立てられる場合、本体上の接地端子と通電ターミナルとは、それぞれ接地孔と、選択的に弧状の孔の２つとに挿入され、地面ピンと導通ピンとにそれぞれ電気的に連結される。弧状の孔の対のどちらが通電ターミナルによって中に挿入されるかに関係なく、通電ターミナルは、通電ピンによって電気的にそれぞれ連結することができる。それゆえに、上述した構造により、プラグを異なる仕様を有して所望の配向に置かれたプラグに置き換えることができる。
【０００８】
本発明の他の目的、利点および新規な特徴は、添付の図面を参照しながら、以下の詳細な説明からより明らかになる。
【図面の簡単な説明】
【０００９】
【図１】図１は、本発明の入れ替え可能で位置決め可能なプラグを有する電源アダプタの第１の実施態様の斜視図である；
【図２】図２は、図１の電源アダプタの分解斜視図である；
【図３】図３は、図１の電源アダプタの拡大分解斜視図である；
【図４】図４は、図１の電源アダプタの拡大した操作上の上面図である；
【図５】図５は、図１の電源アダプタの拡大した操作上の他の上面図である；
【図６】図６は、図１の電源アダプタの拡大した側面図である；
【図７】図７は、図１の電源アダプタの拡大した操作上の上面図である；
【図８】図８は、図１の電源アダプタの拡大した操作上の他の上面図である；
【図９】図９は、本発明の入れ替え可能で位置決め可能なプラグを有する電源アダプタのプラグの第２の実施態様の分解斜視図である；
【図１０】図１０は、本発明の入れ替え可能で位置決め可能なプラグを有する電源アダプタのプラグの第３の実施態様の分解斜視図である；
【図１１】図１１は、本発明の入れ替え可能で位置決め可能なプラグを有する電源アダプタの第４の実施態様の分解斜視図である；
【図１２】図１２は図１１の電源アダプタの分解斜視図である。
【発明を実施するための形態】
【００１０】
図１および２を参照すると、本発明の入れ替え可能で位置決め可能なプラグを有する電源アダプタの第１の実施態様は、本体１０とプラグ（Ａ）とを有する。本体１０は、動力変換ユニットと、第１の窪み１１と、接地端子１６と、２つの通電ターミナル１２と、複数の摺動可能な溝１３と、リリースつまみ１５と、電力ケーブル１９とを有する。
【００１１】
動力変換ユニットは本体１０に取付けられ、電源アダプタで連結される電気器具を作動させる動力へ入力パワーを変換するのに役立つ。第１の窪み１１は、本体１０の上部において、円形に形成される。接地端子１６は中央に第１の窪み１１の底部に取付けられ、通電ターミナル１２は反対の位置に第１の窪み１１の底部に取付けられる。接地端子１６と通電ターミナル１２とは、動力変換ユニットによって電気的に連結される。摺動可能な溝１３は、第１の窪み１１の側壁において形成される。摺動可能な溝１３のそれぞれは、摺動可能な溝１３の一端において形成される係合凹部１４を有する。
【００１２】
リリースつまみ１５は、本体の上部に２つのスリット１０２を切断し、第１の窪み１１内部に自由端を形成するため、そのスリット１０２を第１の窪み１１の底部に合うように延長することによって形成される。さらに図３を参照すると、リリースつまみ１５は、自由端で形成され、そこから突出する係合ブロック１５１を有する。電力ケーブル１９は、本体１０内部で動力変換ユニットによって電気的に連結される。
【００１３】
図１、２、３および６を参照すると、プラグ（Ａ）が中空で、円柱形かつ平坦であり、ベース３０とカバー４０とを有する。ベース３０は、フェンス３１と、シリンダ３２と、第２の窪み３３と、２つの中間の導通クリップアセンブリと、中間の接地アセンブリ３６とを有する。フェンス３１は、環状に形成され、ベース３０の上部の周囲から突出する。シリンダ３２は、ベース３０の底部で形成され、そこから突出し、第１の窪み１１において受容される。第２の窪み３３は、ベース３０の上部において形成され、シリンダ３２に凹部を作る。第２の窪み３３は、接地孔３３６と、４つの弧状の孔３３１と、４つの配置ピース３３３と、２つのプレート・ガイド３３４と、２つのストッパ３３７とを有する。接地孔３３６は、第２の窪み３３の底部を通じて中央に形成されて、本体１０の接地端子１６によって挿入される。弧状の孔３３１は、第２の窪み３３の底部を通じて形成され、接地孔３３６に関して円形に配置され、２つの対として集められる。弧状の孔３３１の各々の対は、第１の弧状の孔と第２の弧状の孔とを有する。弧状の孔３３１の一方の対の第１の弧状の孔と弧状の孔の他方の対の第２の弧状の孔とは反対に位置し、通電ターミナル１２によってそれぞれ選択的に挿入される。弧状の孔３３１のそれぞれは、内縁部と外縁部とを有する。配置ピース３３３は横断面においてＥ形であり、第２の窪み３３の底部に、および、弧状の孔３３１が位置する円の中に取付けられる。配置ピース３３３のそれぞれは対応している弧状の孔３３１と隣接し、配置ピース３３３の片側において形成される内側のスロットと外側のスロットとを有する。弧状の孔３３１の各々の対は、配置ピース３３３の２つの間に位置し、互いに面する内側のスロットと外側のスロットとを有する側部を有する。プレート・ガイド３３４のそれぞれは、第２の窪み３３の底部に、および、配置ピース３３３の２つの間に取付けられ、互いに面する内側のスロットと外側のスロットとを有し、２つの平行した壁を有する側部を有する。ストッパ３３７は、第２の窪み３３の底部の上に形成され、接地孔３３６と隣接している。
【００１４】
中間の導通クリップアセンブリのそれぞれは、配置ピース３３３の２つの間で取付けられ、側面は互いに面する内側のスロットと外側のスロットとを有し、外側の導通プレート３４と内側の導通プレート３５とを有する。外側の導通プレート３４と内側の導通プレート３５とは弧状に形成され、電気を伝導し、第２の窪み３３の底部に取付けられる。外側の導通プレート３４と内側の導通プレート３５との形状は、第２の窪み３３の側壁のそれに対応する。外側の導通プレート３４は、２つの対応している配置ピース３３３間の弧状の孔３３１の外縁部と整列配置する。内側の導通プレート３５は、２つの対応している配置ピース３３３間の弧状の孔３３１の内縁部と整列配置する。外側の導通プレート３４は、内側の導通プレート３５よりも第２の窪み３３の側壁に近い。内側の導通プレート３５は、内側の導通プレート３５に形成された出張り３５１を有する。出張り３５１は、出張り３５１を通じて形成される連結孔３５２を有する。内側の導通プレート３５は、２つの対応している配置ピース３３３の内側のスロットにおいて保持され、その側面は互いに面する内側のスロットと外側のスロットとを有し、対応しているプレート・ガイド３３４の壁を通じて取付けられる。外側の導通プレート３４は、対応している配置ピース３３３の外側のスロットにおいて保持され、対応している配置ピース３３３間のプレート・ガイド３３４に当接する。それゆえに、外側の連結プレート３４と内側の連結プレート３５とは、配置ピース３３３とプレート・ガイド３３４とによって均一に離れて間隔を置くことができ、弧状の孔３３１の一方の対の第１の弧状の孔と、弧状の孔３３１の他方の対の第２の弧状の孔とを通じてそれぞれ取付けられる通電ターミナル１２を保持する。対応している内側の導通プレート３５の出張り３５１は、出張り３５１の高さを維持する接地孔３３６により近くに、プレート・ガイド３３４の平行壁の１つの上部に取付けられる。
【００１５】
中間の接地アセンブリ３６は第２の窪み３３に取付けられ、接地孔３３６と隣接し、ストッパ３３７によって固定され、２つの対向する導通プレートを有するＵ型の電気を伝導する接地端子ホルダー３６１を有し、第２の窪み３３の底部より上に位置する。シリンダ３２は、複数の係合ピース３２１と、複数の係合スロット３２２と、複数の突出部３３２とを有する。係合ピース３２１は、シリンダ３２の円筒周面の底端部で形成され、そこから突出する。係合ピース３２１のそれぞれは選択的に整列配置し、対応している摺動可能な溝１３または対応している係合凹部で摺動する。係合スロット３２２はシリンダ３２の底部において形成され、係合スロット３２２のそれぞれは２つの隣接した係合ピース３２１間で形成され、リリースつまみ１５の自由端上の係合ブロック１５１に選択的に整列配置されて、係合する。本実施態様において、シリンダ３２は、４つの係合ピース３２１と４つの係合スロット３２２とを有する。突出部３３２は、係合スロット３２２に対応する位置においてそれぞれ第２の窪み３３の底部の周囲で形成され、そこから突出する。
【００１６】
カバー４０はベース３０に取付けられ、３ピンプラグ（Ａ）として役立つ２つの通電ピン４１と接地ピン４２とを有する。通電ピン４１と接地ピン４２とは、カバー４０の上部を通じて取付けられる。通電ピン４１と接地ピン４２とのそれぞれの一端は、プラグ（Ａ）に取付けられる。第１実施態様のプラグ（Ａ）は、Ｂタイプのプラグに関連する。通電ピン４１のそれぞれは翼の形に形成され、プラグ（Ａ）へ通電ピン４１の端部上に形成される有効な連結部品４１１を有する。有効な連結部品４１１は、有効な連結部品４１１を通じて形成される連結孔４１２を有する。通電ピン４１の有効な連結部品４１１は、電気的にそれぞれ内側の導通プレート３５上の出張り３５１と連結される。有効な連結部品４１１と出張り３５１とは、有効な連結部品４１１と出張り３５１との連結孔４１２、３５２で取付けられたワイヤと電気的にそれぞれ連結される。接地ピン４２はロッド形で、プラグ（Ａ）へ接地ピン４２の端部上に形成される接地接続部品４２１を有する。接地接続部品４２１は接地接続部品４２１を通じて形成される連結孔４２２を有し、中間の接地アセンブリ３６の接地端子ホルダー３６１と電気的に連結される。接地接続部品４２１は、中間の接地アセンブリ３６の接地端子ホルダー３６１によって、直接および電気的に連結される。プラグは、代わりの実施態様において２つの通電ピン４１を有し、接地ピン４２を有さない可能性がある。
【００１７】
図４を参照すると、本発明の電源アダプタが組立てられる場合、プラグ（Ａ）のベース３０のシリンダ３２上の係合ピース３２１は、本体１０の摺動可能な溝１３にそれぞれ取付けられて、プラグ（Ａ）のベース３０のシリンダ３２は第１の窪み１１に挿入され、接地端子１６はベース３０の接地孔３３６に挿入され、通電ターミナル１２は、弧状の孔３３１の一方の対の第１の弧状の孔と弧状の孔３３１の他方の対の第２の弧状の孔とに挿入され、通電ターミナル１２のそれぞれは対応している中間の導通クリップアセンブリの外側の導通プレート３４と内側の導通プレート３５との間で保持される。図３、５および６に関して、係合ピース３２１は、それぞれ摺動可能に摺動可能な溝１３から係合凹部１４へ動くようにプラグ（Ａ）は回転し、リリースつまみ１５上の係合ブロック１５１は、シリンダ３２の係合スロット３２２の１つと係合する。それゆえに、プラグ（Ａ）は本体１０上に係止され、回転が制限される。一方で通電ターミナル１２のそれぞれは、弧状の孔３３１に隣接して対応している配置ピース３３３に対して当接するために動かされ、そこで通電ターミナル１２はプラグ（Ａ）の取付けを完成させるために位置決めされる。
【００１８】
プラグ（Ａ）は、前述の手順を逆に実行することによって、本体１０から外され、取り除くことができる。係合ブロック１５１が下方へ動くように、リリースつまみ１５は下に押圧されて、係合スロット３２２から離れ、プラグ（Ａ）は回転可能にされて、係合凹部１４における係合ピース３２１は最初にそれぞれ摺動可能な溝１３へ動かされる。プラグ（Ａ）はそれから、上方へプラグ（Ａ）を持ち上げることによって本体から取り除くことができ、異なる仕様を有するプラグに置き換えられる。
【００１９】
図３、７および８を参照すると、プラグ（Ａ）が取付けられる場合、係合ピース３２１は、本体１０と関連して通電ピン４１と接地ピン４２とを配置するためにそれぞれ摺動可能な溝１３と係合する。それゆえに、プラグ（Ａ）は、本体１０が電源アダプタの他のプラグ孔を塞がないように保ち、電源アダプタの他のプラグ孔が他のプラグによって差し込むことができるように、異なる相対的な位置および角度で本体１０と関連して配置することができる。
【００２０】
以下の実施態様は、第１の実施態様とプラグのみにおいて異なる。
【００２１】
図９を参照すると、本発明の電源アダプタの第２の実施態様が示される。図９に示されるプラグ（Ａ２）はＧタイプのプラグに関連する。プラグ（Ａ２）は円柱形である。プラグ（Ａ２）のベース３０Ａの中間の接地組立て３６Ａの接地端子ホルダー３６１Ａが第１の実施態様の中間の接地組立て３６の接地端子ホルダー３６１より高いことを除くと、ベース３０Ａの他の部品は、第１の実施態様のベース３０のそれらと同一である。カバー４０Ａはまた、第１の実施態様のカバー４０より高く、カバー４０Ａは円柱形である。２つの通電ピン４１Ａは、ロッド形である。第２の窪み３３に面して、対応している内側の導通プレート３５の出張り３５１と電気的に連結される通電ピンの４１Ａそれぞれの一端は、構造的に第１の実施態様の通電ピン４１のそれと同一である。接地ピン４２Ａはカーブしたプレートの形状をとり、カバー４０Ａの上部および円柱形の表面に部分的に取付けられ、接地孔４２３Ａと接地接続部品４２１Ａとを有する。接地孔４２３Ａは、接地ピン４２Ａの上部で接地ピン４２Ａによって形成される。接地接続部品４２１Ａは、第２の窪み３３に面する一端の上に形成される。接地接続部品４２１Ａは連結孔４２２Ａを有し、中間の接地アセンブリ３６の接地端子ホルダー３６１は、接地ピン４２Ａの接地接続部品４２１Ａと直接および電気的に連結することができる。
【００２２】
図１０を参照すると、本発明の電源アダプタの第３の実施態様が示される。図１０に示されるプラグ（Ａ３）は、Ｉタイプのプラグに関連する。プラグ（Ａ３）は、丸い矩形のブロックの形状をとる。プラグ（Ａ３）のベース３０Ｂの中間の接地アセンブリ３６Ｂの接地端子ホルダー３６１Ｂが１つの導通プレート３６１のみを有し、接地端子ホルダー３６１Ｂが第２の窪み３３の底部に垂直に取付けられ、接地端子ホルダー３６１Ｂが第１の実施態様のそれより低く、接地端子ホルダー３６１Ｂが直通孔３６２Ｂを有することを除いては、ベース３０Ｂの残りの部品は第１の実施態様のベース３０のそれらと同一である。第３の実施態様において、通電ピン４１Ｂのそれぞれは矩形の段の形状をとり、第２の窪み３３に面する通電ピン４１Ｂのそれぞれの一端の上に形成される有効な連結部品４１１Ｂを有する。有効な連結部品４１１Ｂは、有効な連結部品４１１Ｂを通じて形成される連結孔４１２Ｂを有する。接地ピン４２Ｂも矩形の段の形状をとり、第２の窪み３３に面する接地ピン４２Ｂの一端の上に形成される接地接続部品４２１Ｂを有する。接地接続部品４２１Ｂは、接地接続部品４２１Ｂを通じて形成される連結孔４２２Ｂを有する。通電ピン４１Ｂのそれぞれの有効な連結部品４１１Ｂは、ワイヤで対応している内側の導通プレート３５の出張り３５１と電気的に連結される。接地ピン４２Ｂの接地接続部品４２１Ｂは、ワイヤで中間の接地アセンブリ３６Ｂの接地端子ホルダー３６１Ｂと電気的に連結される。
【００２３】
図１１および１２を参照すると、本発明の電源アダプタの第４の実施態様が示される。図１１および１２に示されるプラグは、Ｄタイプのプラグに関連する。花の型のプレート３９Ｃがフェンス３１上に形成されそこから水平に突出し、中間の接地アセンブリ３６Ｃの接地端子ホルダーの３６１Ｃ ２つの対向する導通プレートのそれぞれは接地端子ホルダー３６１Ｃで形成される直通孔３６２Ｃを有することを除いて、ベース３０Ｃの残りの部品は、第１の実施態様のベース３０のそれらと同一である。２つの通電ピン４１Ｃは、翼の形に形成される。第２の窪み３３に面し、対応している内側の導通プレートの出張り３５１に電気的に連結された通電ピン４１Ｃそれぞれの一端の構造は、第１の実施態様の通電ピン４１のそれと構造的に同一である。接地ピン４２Ｃは、翼の形に形成される。第２の窪み３３に面し、対応している内側の導通プレート３５の出張り３５１と電気的に連結される接地ピン４２Ｃの一端の構造は、第１の実施態様の接地ピン４２のそれと構造的に同一である。
【００２４】
プラグ（Ａ）が本体１０と共に組立てられる場合、接地端子１６と通電ターミナル１２とは、それぞれ接地孔３３６と２つの対応している弧状の孔３３１に挿入され、どちらの弧状の孔３３１が通電ターミナル１２によって挿入されるかに関係なく、通電ターミナル１２は、中間の導通クリップアセンブリを通じて通電ピン４１とそれぞれ電気的に連結される。一方、プラグ（Ａ）のベース３０のシリンダ３２上の係合ピース３２１は、本体１０の摺動可能な溝１３と係合凹部１４とにそれぞれ選択的に摺動して、プラグ（Ａ）は、要望通りに選択的に向きを定めることができる。加えて、異なるプラグ仕様に応じて２つのピンまたは３つのピンを有するプラグ（Ａ）が、本体１０と共に組立てられる。したがって、プラグ（Ａ）は、位置決め可能で入れ替え可能である。本体１０が使用中に再び配置される場合であっても、本体１０はプラグ孔を塞がず、他のプラグ孔が差し込まれるのを防ぐ。
【００２５】
本発明の構造の詳細および機能と共に本発明の多数の特徴および利点が前述の記載において説明されてきたが、本開示は、例証を示すのみのものである。添付の請求の範囲において表される語の幅広い一般的な意味によって十分に示される本発明の原理の範囲内で特に形状、サイズおよび部品配置において、詳細な変更がなされる可能性がある。
【図１】
2012119188.tif 000003
【図２】
2012119188.tif 000004
【図３】
2012119188.tif 000005
【図４】
2012119188.tif 000006
【図５】
2012119188.tif 000007
【図６】
2012119188.tif 000008
【図７】
2012119188.tif 000009
【図８】
2012119188.tif 000010
【図９】
2012119188.tif 000011
【図１０】
2012119188.tif 000012
【図１１】
2012119188.tif 000013
【図１２】
2012119188.tif 000014